(57)【要約】      （修正有）【課題】足指間に発生した汗や膿等の水分の吸収を図り、患部を衛生的に保つとともに、靴を履いて着用しても歩行中も容易に抜け落ちないように保持する。【解決手段】シート状のガーゼ布１の中央部に足指の入る切り込み２、または孔を設け、ガーゼ布の端部に吸湿性のある脱脂綿４、またはガーゼ布等で厚みのある繊維部材３を設けた治療補助用包帯。これを足指に着用すれば、シート状のガーゼ布の端部に設けた脱脂綿や、ガーゼ布等の吸湿性のある繊維部材により患部の指間に発生する汗や膿等の水分の吸収ができる。また、端部の繊維部材の厚みの部分を、足指で保持がしやすく靴を履いて歩行中も足指から脱落することなく着用できる。手の指間の傷に対しても膿や水分の吸収に効果がある。【選択図】  図２
2007098097.tif 000002
【特許請求の範囲】
【請求項１】
シート状のガーゼ布１の中央部に足指が各々個別に挿入できる切込み２を設け、シート状のガーゼ布１の端部に吸湿性のある繊維部材３を設けたことを特徴とする治療補助用包帯。
【請求項２】
吸湿性のある繊維部材３が、ガーゼ布により内包された脱脂綿４またはガーゼ布等の繊維材、または紙質材または柔軟なスポンジ、ウレタン、ゴム等の樹脂材のいずれかひとつであることを特徴とする請求項１記載の治療補助用包帯。
【請求項３】
吸湿性のある繊維部材３の断面形状が、角形または半円形または丸円形状のいずれかひとつであることを特徴とする請求項２記載の治療補助用包帯。
【請求項４】
吸湿性のある繊維部材３が、厚みのあるガーゼ布により形成され、各々の切り込み２の間に相当する部分に補強及び吸湿性を図る吸湿布８を取り付けたことを特徴とする請求項１記載の治療補助用包帯。
【請求項５】
シート状のガーゼ布１が、不織布６で形成され、シート状の不織布６の各々の切り込み２と切り込み２の間に相当する部位に脱脂綿またはガーゼ布等の吸湿布８を取り付け両端部に吸湿性のある繊維部材３をたことを特徴とする請求項２記載の治療補助用包帯。
【請求項６】
シート状のガーゼ布１が、伸縮性及び弾力性のある布を用いたことを特徴とする請求項２記載の治療補助用包帯。
【請求項７】
脱脂綿またはガーゼ布等の吸湿布８に効能薬を含浸させたことを特徴とする請求項５記載の治療補助用包帯。
【請求項８】
シート上のガーゼ布１の端部を延長して広げた拡幅部７を設け、端部に両面接着テープ９を取り付けたことを特徴とする請求項２記載の治療補助用包帯。
【発明の詳細な説明】
【技術分野】
【０００１】この発明は、主として手や足の指間に発生する皮膚病及び切り傷や火傷等の治療用包帯に関するものである。
【発明の開示】
【０００２】包帯関係
【背景技術】
【０００３】従来、手や足の指間に発生する皮膚病及び切り傷や火傷等の治療に際しては、手足の指１本１本に包帯を巻く、或いはガーゼ布を患部に当ててテープで止めるなどの方法で実施していたが、これらの方法は手間がかかっていた。また、足の指間に当てたシート状のものは歩行中に足指の前後運動によって指から脱落するなどの不備があった。
【発明が解決しようとする課題】
【０００４】本発明は、上記の問題点を解決しようとするものであり、特に足指間に発生した水虫などの皮膚病については、通常、靴を着用するため常に足指間に汗、膿等が発生して治療の妨げになる。本発明は特にこの足指間に発生した汗や膿等の水分の吸収を図り、患部を衛生的に保つとともに、靴を履いて着用しても歩行中も容易に抜け落ちないように保持されることを目的としたものである。
【課題を解決するための手段】
【０００５】本発明は、それらの課題を解決するためになされたもので、シート状のガーゼ布１の中央部に足指が各々個別に挿入できる切込み２を設け、シート状のガーゼ布１の端部に厚みのある吸湿性の繊維部材３を設けたものである。吸湿性のある繊維部材については、その実施形態を下記の実施例で示す。
【発明の効果】
【０００６】本発明の治療補助用包帯を足指に着用すれば、シート状のガーゼ布の端部に厚みのある脱脂綿や、ガーゼ布等の吸湿性のある繊維部材を設けることにより患部の指間に発生する汗や膿等の水分の吸収ができる。また、その吸湿性のある繊維部材の厚みの部分がこれを着用中は足指の下になるので、足指での保持がしやすくまた足指で押さえ込むので、靴を履いて歩行中も足指から脱落することは無く着用できる。足指だけでなく手の指間に発生した皮膚病や火傷等の治療補助用包帯として用いることができる。また、コストが安価にできるため使い捨ても可能で衛生的である。
【発明を実施するための最良の形態】
【０００７】本発明を実施例と図に基づいて説明する。
【実施例１】
【０００８】本発明の基本形となる実施例を図１斜視図に示す。シート状のガーゼ布１の中央部に足指が各々個別に挿入できる切込み２を設け、シート状のガーゼ布１の端部に厚みのある吸湿性の繊維部材３を設けた治療補助用包帯である。（図１）実施例１を斜視図で示す。
【実施例２】
【０００９】シート状のガーゼ布１の中央部に足指が各々個別に挿入できる切込み２を設け、シート状のガーゼ布１の端部にガーゼ布に内包された脱脂綿４を取り付けた治療補助用包帯である。ガーゼ布１に内包される部材としてはガーゼ布等の繊維材、または柔軟なスポンジ、ウレタン、ゴム等の樹脂、または紙質材がある。上記のうち脱脂綿４を取り付ける方法を記すと、シート状のガーゼ布１の端部を折り曲げてその中に脱脂綿４を内包する。脱脂綿とガーゼ布をもって吸湿性のある繊維部材としている。吸湿性のある繊維部材３の断面形状は、角形または半円形または丸円形状のいずれかひとつとする。ガーゼ布に内包された脱脂綿４が足指の下側になるようにこれを着用するので、その厚みの部分でガーゼ布や脱脂綿の吸湿性により指間に発生する汗や膿等が吸収され足指間に発生する皮膚病や切り傷、火傷等の治療に役立つものである。また、足指で脱脂綿、ガーゼ等の厚みのある部分を保持しやすく靴下や靴を履いてこれを着用中も足指からの脱落を防止できる。（図２）実施例２にガーゼ布で内包した脱脂綿の図を斜視図で示す。
【実施例３】
【００１０】ガーゼ布に内包された柔軟で吸湿性のあるスポンジ５を、シート状のガーゼ布１の端部に吸湿性のある繊維部材として形成した治療補助用包帯である。シート状のガーゼ布１に縫合、または接着等により取り付けることができる。また、シート状の端部を延長して広げることにより患部をより広く覆い治療することができる。（図３）実施例３を斜視図で示す。
【実施例４】
【００１１】シート状のガーゼ布１の生地に伸縮性及び弾力性のある布生地を用いた治療補助用包帯である。シート状のガーゼ布１に伸縮性のある生地を用いたことにより、足へのフィット性及び足指からの脱落の防止により効果がある。
【実施例５】
【００１２】シート状のガーゼ布１の端部にガーゼ布による厚みを設けて吸湿性のある繊維部材を形成したものである。シート状のガーゼ布１の端部を折り曲げて端部に厚みを形成する。または、厚みのあるガーゼ布か繊維布をガーゼ布の端部に縫合或いは接着等により取り付ける。各々の切り込み２と切り込み２の間に補強及び吸湿性の向上を図るために吸湿布８を取り付けたものである。シート状のガーゼ布１の端部に両面接着テープ９を取り付ける。（図４）斜視図にガーゼ布で形成した実施例５を示す。
【実施例６】
【００１３】シート状のガーゼ布１または繊維布の端部にガーゼ布で内包された断面が丸円状の柔軟で弾力性のあるスポンジ５を取り付けたものである。スポンジ５の中に芯材として細い硬質の樹脂または鋼材等を入れて形状の維持を図ることもできる。（図５）斜視図に実施例６を示す。
【実施例７】
【００１４】シート状のガーゼ布１の両端部にガーゼ布による厚みを形成した治療補助用包帯。（図６）斜視図に実施例７を示す。
【実施例８】
【００１５】シート状のガーゼ布１が不織布６で形成され、シート状の不織布６の各々の切り込み２と切り込み２の間に相当する部位にガーゼ布または脱脂綿等の吸湿布８を取り付けた治療補助用包帯である。吸湿布８は吸湿性の向上と補強を図るものである。（図７）斜視図に実施例８を示す。斜視図に不織布で形成された実施例８を示す。
【実施例９】
【００１６】脱脂綿またはガーゼ布等の吸湿布８に効能薬を含浸させた治療補助用包帯。治療により効果がある。
【実施例１０】
【００１７】シート状にした本発明の治療補助用包帯を複数のシートが連続して成る様に帯状に延長して切り込み２と切り込み２の間にミシン線のように切断しやすいものを入れておくことにより治療に必要な指の部分だけカットが容易にできて使用性が向上する。
【図面の簡単な説明】
【００１８】
【図１】実施例１の斜視図を示す。
【図２】実施例２の斜視図を示す。
【図３】実施例３の斜視図を示す。図の一部を断面図で示す。
【図４】実施例５の斜視図を示す。
【図５】実施例６の斜視図を示す。
【図６】実施例７の斜視図を示す。
【図７】実施例８の斜視図を示す。
【図８】足への着用図▲１▼足側面図
【図９】足への着用図▲２▼足上面図
【符号の説明】
【００１９】    １・・・・・  ガーゼ布    ２・・・・・  切り込み    ３・・・・・  吸湿性の繊維部材    ４・・・・・  脱脂綿    ５・・・・・  スポンジ    ６・・・・・  不織布    ７・・・・・  シートの拡幅部    ８・・・・・  吸湿布    ９・・・・・  両面テープ
【図１】
2007098097.tif 000003
【図２】
2007098097.tif 000004
【図３】
2007098097.tif 000005
【図４】
2007098097.tif 000006
【図５】
2007098097.tif 000007
【図６】
2007098097.tif 000008
【図７】
2007098097.tif 000009
【図８】
2007098097.tif 000010
【図９】
2007098097.tif 000011